(57)【要約】【課題】  自分の好み或いは目的とする様々な形態のエクステリア品を自由に製作可能にし、ユーザにとっての面白みを高めることにより、多様性及び多機能性，発展性及び趣味性を高める。加えて、資源節減に寄与するとともに、コストダウン及び管理面の大幅な容易化を図る。【解決手段】  リサイクル素材Ｒにより一定のプレート厚Ｄｃを有する矩形状に形成するとともに、一方の長辺に沿って一定間隔Ｌａ（Ｌｂ）毎に形成し、プレート厚Ｄｃと同一の溝幅ＬｓのスリットＳｓ…を短辺の長さＬｗの１／２だけ短辺方向Ｆｗへ形成してなる長手方向Ｆｍの長さＬ１，Ｌ２，Ｌ３，Ｌ４…が同一又は異なる複数のプレート部材２１，２２，２３…，４１，４２…と、プレート部材２１…の短辺を他のプレート部材２２…の短辺又は他のプレート部材２２…のプレート面に対して固定可能な固定部材４…とを備える。【選択図】  図１
2016112789.tif 000002
【特許請求の範囲】
【請求項１】
リサイクル素材を用いることにより屋外に設置可能に構成した多目的エクステリア用品であって、リサイクル素材により一定のプレート厚を有する矩形状に形成するとともに、一方の長辺に沿って一定間隔毎に形成し、前記プレート厚と同一の溝幅のスリットを短辺の長さの１／２だけ短辺方向へ形成してなる長手方向の長さが同一又は異なる複数のプレート部材と、前記プレート部材の短辺を他のプレート部材の短辺又は他のプレート部材のプレート面に対して固定可能な固定部材とを具備してなることを特徴とする多目的エクステリア用品。
【請求項２】
前記スリットには、前記プレート部材の短辺に、短辺の長さの１／２だけ短辺方向へ形成し、前記プレート厚と同一の段差幅を有する切欠段差を含むことを特徴とする請求項１記載の多目的エクステリア用品。
【請求項３】
前記リサイクル素材は、廃プラスチックのリサイクル素材，又は廃プラスチックのリサイクル素材と廃木材のリサイクル素材の複合素材，を用いることを特徴とする請求項１記載の多目的エクステリア用品。
【請求項４】
前記固定部材は、少なくとも一つ以上のネジを用いることを特徴とする請求項１記載の多目的エクステリア用品。
【発明の詳細な説明】
【技術分野】
【０００１】
本発明は、プランタ，棚，フェンス等の多目的用途に用いる屋外に設置可能な多目的エクステリア用品に関する。
【背景技術】
【０００２】
一般に、屋外に設置するエクステリア品は、プランタ，棚，フェンス，デッキ，ベンチ等の多種にわたっているとともに、製作素材として、自然木の他、リサイクル素材により製作したエクステリア品も実用化されている。
【０００３】
従来、リサイクル素材により製作したエクステリア品としては、既に、本出願人が提案した特許文献１で開示されるエクステリア品が知られている。このエクステリア品は、装飾性，趣味性，多様性及び多機能性を向上させるとともに、パネル材の用途拡大に寄与することを目的としたものであり、具体的には、リサイクル素材により形成したパネル材を用いたエクステリア品を構成するに際して、リサイクル素材により形成したパネル本体部の面内に、同一又は異なる形状の図形により形成した一又は二以上の貫通孔を設けるとともに、この貫通孔を、ステンドグラス板又はステンドグラス状のプラスチック板による化粧板により閉塞してなるパネル材を、少なくとも一つ以上用いて構成したものである。
【先行技術文献】
【特許文献】
【０００４】
【特許文献１】特開２０１２−１１１１５６号公報
【発明の概要】
【発明が解決しようとする課題】
【０００５】
しかし、上述した特許文献１で開示される従来のエクステリア品は、次のような解決すべき課題も存在した。
【０００６】
第一に、各エクステリア品はそれぞれ単一用途のエクステリア品に留まるため、それ以上に派生することはない。したがって、多様性及び多機能性をより高めるとともに、特に、ユーザにとっての面白みを高め、発展性及び趣味性を高める観点からは更なる改善の余地があった。しかも、任意のエクステリア品に対してリニューアル等により他のエクステリア品と入れ変える場合、入れ変え前のエクステリア品はそのままでは再利用しにくいため、資源の無駄を招く虞れがある。
【０００７】
第二に、パーツとなるパネル材は、個々のエクステリア品に対して専用のパネル材として用意する必要があるため、エクステリア品の種類に応じたパネル材を製作する必要がある。したがって、異なる部品の点数が多くなり、かつ形状等も複雑になる傾向があるなど、製造工程及び加工工程の煩雑化、更には製造工数の増加を招く要因になる。結局、部品コスト及び製造コストの双方のコストアップを招くとともに、部品管理や商品管理等の管理面が大変となる。
【０００８】
本発明は、このような背景技術に存在する課題を解決した多目的エクステリア用品の提供を目的とするものである。
【課題を解決するための手段】
【０００９】
本発明に係る多目的エクステリア用品１は、上述した課題を解決するため、リサイクル素材Ｒを用いることにより屋外に設置可能なエクステリア用品を構成するに際して、リサイクル素材Ｒにより一定のプレート厚Ｄｃを有する矩形状に形成するとともに、一方の長辺に沿って一定間隔Ｌａ（Ｌｂ）毎に形成し、プレート厚Ｄｃと同一の溝幅ＬｓのスリットＳｓ…を短辺の長さＬｗの１／２だけ短辺方向Ｆｗへ形成してなる長手方向Ｆｍの長さＬ１，Ｌ２，Ｌ３，Ｌ４…が同一又は異なる複数のプレート部材２１，２２，２３…，４１，４２…と、プレート部材２１…の短辺を他のプレート部材２２…の短辺又は他のプレート部材２２…のプレート面に対して固定可能な固定部材４…とを具備してなることを特徴とする。
【００１０】
この場合、発明の好適な態様により、スリットＳｓには、プレート部材２１，２２，２３…，４１，４２…の短辺に、短辺の長さの１／２だけ短辺方向Ｆｗへ形成し、プレート厚Ｄｃと同一の段差幅Ｌｓを有する切欠段差Ｓｄ…を含ませることができる。また、リサイクル素材Ｒには、廃プラスチックのリサイクル素材Ｒｐ，又は廃プラスチックのリサイクル素材Ｒｐと廃木材のリサイクル素材Ｒｗの複合素材，を用いることができる。さらに、固定部材４…には、少なくとも一つ以上のネジ４ｎ…を用いることができる。
【発明の効果】
【００１１】
このような構成を有する本発明に係る多目的エクステリア用品１によれば、次のような顕著な効果を奏する。
【００１２】
（１）  複数のプレート部材２１…の組み合わせにより、複数の小枠部を有する様々な異なるエクステリア品、即ち、プランタ，棚，フェンス等の様々なエクステリア品を得ることができる。したがって、ユーザは、自分の好み或いは目的とする様々な形態のエクステリア品を自由に組み付けることができるとともに、固定部材４…として、着脱可能な固定部材４…を用いれば、様々な形態を有する他のエクステリア品に組み変えることができる。この結果、ユーザにとっての面白みを高めることができ、多様性及び多機能性、更には発展性及び趣味性を飛躍的に高めることができるとともに、エクステリア品の無駄を無くすことができるため、資源節減にも寄与できる。
【００１３】
（２）  基本的には、基本形態が一致する一体形成可能な同種のプレート部材２１…を用意すれば足りるため、各プレート部材を製作する製造工程及び加工工程の大幅な縮小を図ることができる。この結果、部材コスト及び製造コストの双方のコストダウンを図ることができるともに、部品管理や商品管理等の管理面の大幅な容易化を実現できる。
【００１４】
（３）  好適な態様により、スリットＳｓとして、プレート部材２１，２２，２３…，４１，４２…の短辺に、短辺の長さＬｗの１／２だけ短辺方向Ｆｗへ形成し、プレート厚Ｄｃと同一の段差幅Ｌｓを有する切欠段差Ｓｄ…を含ませれば、プレート部材２１…の短辺同士を直角に組み付ける場合であっても、短辺同士を嵌合させることができるため、両者の位置決めを容易に行うことができる。これにより、容易な組み付を可能にするとともに、組立完了時の品質向上を図ることができる。
【００１５】
（４）  好適な態様により、リサイクル素材Ｒとして、廃プラスチックのリサイクル素材Ｒｐ，又は廃プラスチックのリサイクル素材Ｒｐと廃木材のリサイクル素材Ｒｗの複合素材，を用いれば、素材の物性に基づく十分な防水性，耐腐食性及び耐汚染性を確保できるため、屋外に設置するエクステリア品に用いて最適となる。
【００１６】
（５）  好適な態様により、固定部材４…として、少なくとも一つ以上のネジ４ｎ…を用いれば、汎用的なネジ４ｎの使用が可能になるため、容易かつ低コストに実施できるとともに、着脱可能にすることができる。
【図面の簡単な説明】
【００１７】
【図１】本発明の好適実施形態に係る多目的エクステリア用品をプランタとして使用する際の斜視図、
【図２】同多目的エクステリア用品の使用態様を含む図１中Ａ−Ａ線断面図、
【図３】同多目的エクステリア用品の長さの異なる代表的なプレート部材を示す正面図、
【図４】同多目的エクステリア用品の一つのプレート部材を示す斜視図、
【図５】同多目的エクステリア用品の長さの異なる代表的なプレート部材を示す正面図、
【図６】同多目的エクステリア用品の組付方法説明図、
【図７】同多目的エクステリア用品をプランタとして使用する際の変更態様を示す平面図、
【図８】同多目的エクステリア用品を棚として使用する際の正面図、
【図９】同多目的エクステリア用品をフェンスとして使用する際の正面図、
【発明を実施するための形態】
【００１８】
次に、本発明に係る好適実施形態を挙げ、図面に基づき詳細に説明する。
【００１９】
まず、本実施形態に係る多目的エクステリア用品１に使用する複数のプレート部材２１…について、図３〜図５を参照して説明する。
【００２０】
プレート部材２１…は、いずれも、リサイクル素材Ｒにより矩形状に形成するとともに、一定の厚さ（プレート厚）Ｄｃを有するベース体Ｍを包含する。この場合、リサイクル素材Ｒには、廃プラスチックのリサイクル素材Ｒｐを用いる。ベース体Ｍの製造には、公知の製造法を利用可能である。例えば、廃棄されるポリスチレン製の食器トレイ等を溶解するとともに、発泡剤等の添加剤を加えた材料を押出成形することにより製造できる。また、溶解した廃プラスチックのリサイクル素材Ｒｐには、茶色系などの着色剤を添加し、製造したベース体Ｍの外観が木質状となるように考慮する。
【００２１】
他方、リサイクル素材Ｒとしては、廃プラスチックのリサイクル素材と廃木材のリサイクル素材の複合素材Ｒｗを用いてもよい。この場合、上述の溶解した廃プラスチックのリサイクル素材Ｒｐに対して、微細化（粉末化）した廃木材のリサイクル素材を混合させるなどにより実施することができる。なお、廃プラスチックのリサイクル素材と廃木材のリサイクル素材の最適な配合比率は試作及び実験等により予め選定することが望ましい。このように、リサイクル素材Ｒとして、廃プラスチックのリサイクル素材Ｒｐ，又は廃プラスチックのリサイクル素材Ｒｐと廃木材のリサイクル素材Ｒｗの複合素材，を用いれば、素材の物性に基づく十分な防水性，耐腐食性及び耐汚染性を確保できるため、屋外に設置するエクステリア品に用いて最適となる利点がある。
【００２２】
また、ベース体Ｍにおける一対の短辺には、図４に示すように、ベース体Ｍにおけるプレート厚Ｄｃと同一の段差幅Ｌｓとなる切欠段差Ｓｄ…を短辺の長さＬｗの１／２だけ短辺方向Ｆｗへ形成する。これにより、一つの短辺には、長さがＬｗ／２の切欠段差Ｓｄとこの切欠段差Ｓｄから突出幅Ｌｓで突出した長さがＬｗ／２の残留短辺Ｓｐが設けられる。このような切欠段差Ｓｄを設ければ、ベース体Ｍ…の短辺同士、即ち、プレート部材２１…の短辺同士を直角に組み付ける場合であっても、嵌合させることができるため、両者の位置決めを容易に行うことができる。これにより、容易な組み付を可能にするとともに、組立完了時の品質向上を図ることができる利点がある。
【００２３】
さらに、図４に示すように、短辺における切欠段差Ｓｄには、ベース体Ｍの面方向に対して、二つの離間したねじ込み孔１２，１２を設けるともに、残留短辺Ｓｐには、ベース体Ｍの面直角方向に対して、二つの離間したねじ挿通孔１３，１３を設ける。実施形態で示すベース体Ｍ…は、廃プラスチックのリサイクル素材Ｒｐ，又は廃プラスチックのリサイクル素材Ｒｐと廃木材のリサイクル素材Ｒｗの複合素材，を用いて形成するため、固定部材４として汎用的なネジ４ｎの使用が可能である。したがって、容易かつ低コストに実施できるとともに、着脱可能にできる利点がある。なお、ねじ込み孔１２…を設けることにより、ねじ挿通孔１３，１３との位置決めを行えるメリットがあるが、このねじ込み孔１２…は必ずしも設けることを要しない。
【００２４】
以上がベース体Ｍの基本形態となる。一方、このベース体Ｍの長手方向Ｆｍの長さを異ならせるとともに、このベース体Ｍにおける一方の長辺に沿って一定間隔Ｌａ（又はＬｂ）毎にスリットＳｓ…を形成したものがプレート部材２１…となる。
【００２５】
プレート部材２１…の代表例を、図３（ａ）〜（ｊ）及び図５（ａ）〜（ｅ）に示す。図３（ａ）に示すプレート部材２１は、長手方向Ｆｍの長さがＬ１、短辺方向Ｆｗの長さがＬｗとなる。一対の短辺には切欠段差Ｓｄ，Ｓｄを形成するため、両側に位置する切欠段差Ｓｄ，Ｓｄ間におけるプレート部材３の長さはＬｉ（＝Ｌ１−２×Ｌｓ）となる。また、図３（ｂ）に示すプレート部材２２は、長手方向Ｆｍの長さがＬ２、短辺方向Ｆｗの長さがＬｗとなり、全体形状は、図３（ａ）に示したプレート部材２１（基本形状Ｘ１）と他のプレート部材２１の一方の残留短辺２ｂを除いた形態（追加形状Ｙ１）を長手方向Ｆｍに組み合わせた連続形状を有している。したがって、一方の長辺の中央位置に、切欠段差Ｓｄと同一形状となるスリットＳｓが形成され、このスリットＳｓは、前述したプレート厚Ｄｃと同一の溝幅ＬｓのスリットＳｓを短辺の長さＬｗの１／２だけ短辺方向Ｆｗへ形成した形状となる。
【００２６】
さらに、図３（ｃ）に示すプレート部材２３は、長手方向Ｆｍの長さがＬ３、短辺方向Ｆｗの長さがＬｗとなり、全体形状は、基本形状Ｘ１に対して二つの追加形状Ｙ１，Ｙ１を長手方向Ｆｍへ順次組み合わせた連続形状を有している。また、図３（ｄ）に示すプレート部材２４は、長手方向Ｆｍの長さがＬ４、短辺方向Ｆｗの長さがＬｗとなり、全体形状は、基本形状Ｘ１に対して三つの追加形状Ｙ１，Ｙ１，Ｙ１を長手方向Ｆｍへ順次組み合わせた連続形状を有している。以下、同様に、図３（ｅ）は、四つの追加形状Ｙ１…を、図３（ｆ）は、五つの追加形状Ｙ１…を、図３（ｇ）〜（ｊ）は、八〜十一の追加形状Ｙ１…を、それぞれ長手方向Ｆｍへ順次組み合わせた連続形状を有している。以上は、代表例を示したものであり、追加形状Ｙ１…は任意数量を選定できる。
【００２７】
この場合、いずれのプレート部材２１…であっても、各スリットＳｓ…は、一方の長辺に沿って一定間隔Ｌａ毎（図３（ｆ））に形成されるとともに、プレート厚Ｄｃと同一の溝幅Ｌｓにより形成され、短辺の長さＬｗの１／２だけ短辺方向Ｆｗへ形成される。したがって、前述した切欠段差ＳｄとスリットＳｓの形状は同一形状となり、切欠段差Ｓｄは、スリットＳｓの変更形態として当該スリットＳｓに含まれる。
【００２８】
他方、図５（ａ）〜（ｅ）は図３（ａ）のプレート部材２１の長さを２倍にしたものである。即ち、図３（ｂ）のプレート部材２１からスリットＳｓを除いた形状が図５（ａ）のプレート部材４１となり、図３（ｂ）に示したプレート部材２１の長手方向Ｆｍの長さＬ２と図５（ａ）のプレート部材４１の長手方向Ｆｍの長さＬ２は一致し、図５（ａ）の形状が基本形状Ｘ２となる。さらに、図５（ｂ）〜（ｅ）は、図５（ａ）のプレート部材４１（基本形状Ｘ２）と他のプレート部材４１の一方の残留短辺２ｂを除いた形態（追加形状Ｙ２）を長手方向Ｆｍに順次組み合わせた連続形状を有している。したがって、長手方向Ｆｍの寸法が異なるものの他の形態は同じであり、図３（ａ）〜（ｊ）と図５（ａ）〜（ｅ）の基本的な原理形状は同じとなる。また、いずれのプレート部材２１…，４１…も、各スリットＳｓ…の延長線上のプレート面には、二つの離間したねじ挿通孔１３，１３…を有する。この場合、いずれのプレート部材４１…であっても、各スリットＳｓ…は、一方の長辺に沿って一定間隔Ｌｂ毎（図５（ｄ））に形成されるとともに、プレート厚Ｄｃと同一の溝幅Ｌｓにより形成され、短辺の長さＬｗの１／２だけ短辺方向Ｆｗへ形成される。
【００２９】
次に、本実施形態に係る多目的エクステリア用品１の使用方法について説明する。最初に、多目的エクステリア用品１を、プランタ１ｐとして用いる場合について、図１，図２，図６及び図７を参照して説明する。
【００３０】
まず、準備する部材として、プレート部材２１を二枚、プレート部材２２を二枚、プレート部材２３を二枚、プレート部材２４を二枚、プレート部材２５を二枚、プレート部材２６を四枚、それぞれ用意するとともに、固定部材４…として、複数のネジ４ｎ…を用意する。
【００３１】
次いで、図１に示すプランタ１ｐの形態となるように、各プレート部材２１…を配する位置を決める。この際、例えば、縦方向に配する各プレート部材２１…は、スリットＳｓ…の開口を上向きにするとともに、横方向に配する各プレート部材２１…は、スリットＳｓ…の開口を下向きにする。そして、図６に示すように、縦方向に配する各プレート部材２２…（例示はプレート部材２３）の上向きに開口したスリットＳｓ…の部位と横方向に配する各プレート部材２２…（例示はプレート部材２５）の下向きに開口したスリットＳｓ…の部位が噛み合うように組み付けを行う。
【００３２】
この組み付けを行うことにより、各プレート部材２２…（例示はプレート部材２４）の短辺における残留短辺Ｓｐと他のプレート部材２２…（例示はプレート部材２３）の短辺における切欠段差Ｓｄが嵌合するため、ネジ４ｎ…を、挿通孔１３…に挿入するとともに、ドライバ等により回し操作することにより、ねじ込み孔１２…にネジ込む。これにより、各プレート部材２２…の短辺と他のプレート部材２２…の短辺が固定される。例示の場合、図２に示すように、一つの短辺同士を固定するネジ４ｎ…の数量は四本となる。なお、スリットＳｓの無いプレート部材２１は各短辺の固定となる。
【００３３】
また、例示のように、最外郭に位置するプレート部材２６におけるスリットＳｓ…には、他のプレート部材２２…の短辺における残留短辺Ｓｐが嵌合するため、プレート部材２６における各スリットＳｓ…の位置に設けられた挿通孔１３…に、ネジ４ｎ…を挿入するとともに、ネジ４ｎ…をドライバ等により回し操作することにより、ねじ込み孔１２…にネジ込む。以上の組み付け作業により、図１に示すプランタ１ｐを得ることができる。このように、プランタ１ｐの組み付けは、工具としてドライバを用意する程度で足りるため、ユーザにより容易に行うことができる。
【００３４】
一方、得られたプランタ１ｐは、例えば、図１のように、住宅の庭等の設置面９１に載置するとともに、この設置面９１を区画するフェンス８１の隅などに配して使用できる。例示のプランタ１ｐは、格子状に枠組みされた二十一個の小枠部Ｈ…の集合体となる。したがって、各小枠部Ｈ…をそれぞれミニプランタとして使用することができる。使用時には、図２に示す断面図のように、ミニプランタ（小枠部Ｈ）の中に、花等の植物１０１を植えた鉢１００を収容するプランタカバーとして用いてもよいし、ミニプランタの中に、土壌１０２を直接収容することにより、植物１０３を植える本来のプランタとして用いてもよい。
【００３５】
他方、図７（ａ），（ｂ）には、形態（形状）の異なる他のプランタ１ｐ…をそれぞれ示す。このように、本実施形態に係る多目的エクステリア用品１は、異なる長さの種類や数量を選定した複数のプレート部材２１…を組み合わせることにより、様々な形状のプランタ１ｐ…を得ることができる。図７（ａ），（ｂ）に示すプランタ１ｐ…であっても、上述した図１に示したプランタ１ｐと同様に組み付けることができる。また、各プランタ１ｐ…は、組み付けに使用したネジ４ｎ…を取り外し、他の様々な形状のプランタ１ｐ…に組み変えすることも可能となる。なお、図７（ａ），（ｂ）において、図１〜図６に示したプランタ１ｐと同一部分には同一符号を付し、その構成を明確にするとともに、その詳細な説明は省略する。
【００３６】
次に、多目的エクステリア用品１を、棚（屋外棚）１ｍとして用いる場合について、図８を参照して説明する。
【００３７】
棚１ｍの組み付け方法も、基本的には、図１に示したプランタ１ｐの組み付け方法と同じである。異なる点は、プランタ１ｐとして用いる場合、横置状態に設置するのに対して、棚１ｍの場合は、縦置状態に設置する点が異なる。したがって、例示の棚１ｍは、長手方向Ｆｍに長いプレート部材２８を最下部に配することにより、設置時の安定性を考慮した。これにより、水平に位置する各プレート部材２１…が棚板として機能し、各小枠部Ｈ…が小棚となる棚１ｍとして用いることができる。なお、例示の棚１ｍは、図８に示すように、フェンス８１に隣接する位置に設置した場合を示している。なお、図８において、図１〜図７と同一部分には同一符号を付し、その構成を明確にするとともに、その詳細な説明は省略する。
【００３８】
次に、多目的エクステリア用品１を、フェンス１ｆ…として用いる場合について、図９を参照して説明する。
【００３９】
フェンス１ｆ…の組み付け方法も、基本的には、図１に示したプランタ１ｐの組み付け方法と同じである。異なる点は、フェンス１ｆ…として用いる場合、例えば、図９に示すように、縦方向にそれぞれ同一長さのプレート部材２６…を使用するとともに、横方向にそれぞれ同一長さのプレート部材２５…を使用し、全体が矩形形状となるように組み付ける点が異なる。これにより、全体が矩形となる１ブロック分のフェンス１ｆを得ることができる。また、設置する際には、例えば、複数の支柱１０５…を起設し、離間した二本の支柱１０５…によりフェンス１ｆの左右両側を支持（固定）すればよい。なお、図９において、図１〜図８と同一部分には同一符号を付し、その構成を明確にするとともに、その詳細な説明は省略する。
【００４０】
使用方法の一例として、図３（ａ）〜（ｊ）に示したプレート部材２１…を用いた場合を示したが、図５（ａ）〜（ｅ）に示したプレート部材４１…を用いる場合であっても同様に組み付けることができる。プレート部材４１…を用いた場合には、小枠部Ｈの大きさを、プレート部材２１…を用いた場合の四倍にすることができる。さらに、プレート部材２１…とプレート部材４１…を混在させて組み付けることも可能である。混在させた場合には、小枠部Ｈの形状を長方形にすることができるとともに、正方形と長方形を混在させたり、或いは大きな正方形と小さな正方形を混在させるなど、屋外に設置可能な様々な形態となる各種の多目的エクステリア用品１…を得ることができる。
【００４１】
よって、このような本実施形態に係る多目的エクステリア用品１によれば、複数のプレート部材２１…の組み合わせにより、複数の小枠部を有する様々な異なるエクステリア品、即ち、プランタ，棚，フェンス等の様々なエクステリア品を得ることができる。したがって、ユーザは、自分の好み或いは目的とする様々な形態のエクステリア品を自由に組み付けることができるとともに、固定部材４…として、着脱可能な固定部材４…を用いれば、様々な形態を有する他のエクステリア品に組み変えることができる。この結果、ユーザにとっての面白みを高めることができ、多様性及び多機能性、更には発展性及び趣味性を飛躍的に高めることができるとともに、エクステリア品の無駄を無くすことができるため、資源節減にも寄与できる。また、基本的には、基本形態が一致する一体形成可能な同種のプレート部材２１…を用意すれば足りるため、各プレート部材を製作する製造工程及び加工工程の大幅な縮小を図ることができる。この結果、部材コスト及び製造コストの双方のコストダウンを図ることができるともに、部品管理や商品管理等の管理面の大幅な容易化を実現できる。
【００４２】
以上、好適実施形態について詳細に説明したが、本発明は、このような実施形態に限定されるものではなく、細部の構成，形状，素材，数量，方法等において、本発明の要旨を逸脱しない範囲で、任意に変更，追加，削除することができる。
【００４３】
例えば、スリットＳｓとして、プレート部材２１，２２，２３…，４１，４２…の短辺に、短辺の長さの１／２だけ短辺方向Ｆｗへ形成し、プレート厚Ｄｃと同一の段差幅Ｌｓを有する切欠段差Ｓｄを含ませた場合を例示したが、この切欠段差Ｓｄは、必ずしも設けることを要しない。また、リサイクル素材Ｒとしては、廃プラスチックのリサイクル素材Ｒｐ，又は廃プラスチックのリサイクル素材Ｒｐと廃木材のリサイクル素材Ｒｗの複合素材，を用いることが望ましいが、他のリサイクル素材Ｒの利用を排除するものではない。さらに、固定部材４…として、少なくとも一つ以上のネジ４ｎ…を用いた場合を例示したが、釘や接着剤等の他の固定部材４…を排除するものではない。この場合であっても、ユーザは最初に選定した任意のエクステリア品を組み付けることができる。
【産業上の利用可能性】
【００４４】
本発明に係る多目的エクステリア用品は、プランタ，棚，フェンス等の屋外に設置可能な各種エクステリア品に利用できる。
【符号の説明】
【００４５】
１：多目的エクステリア用品，２１…：プレート部材，４１…：プレート部材，４…：固定部材，４ｎ…：ネジ，Ｒ：リサイクル素材，Ｒｐ：廃プラスチックのリサイクル素材，Ｒｗ：廃木材のリサイクル素材，Ｄｃ：プレート厚，Ｌａ：一定間隔，Ｌｂ：一定間隔，Ｌｓ：溝幅，Ｌｗ：短辺の長さ，Ｌ１…：長手方向の長さ，Ｌｓ：段差幅，Ｓｓ…：スリット，Ｓｄ…：切欠段差，Ｆｗ：短辺方向，Ｆｍ：長手方向
【図１】
2016112789.tif 000003
【図２】
2016112789.tif 000004
【図３】
2016112789.tif 000005
【図４】
2016112789.tif 000006
【図５】
2016112789.tif 000007
【図６】
2016112789.tif 000008
【図７】
2016112789.tif 000009
【図８】
2016112789.tif 000010
【図９】
2016112789.tif 000011